(57)【要約】【課題】安全弁が流体入口端にて圧力流体系の安全弁取付け端と付き合わされ且つフランジ／ボルト締結手段により付き合わせ状態に締め付けられている場合に、安全弁を圧力流体系に取り付けられた状態から取り外すことなく、且つ遮断弁或いは逆止弁を要することなく、安全弁の作動検査を行うことを可能にする安全弁作動検査補助装置を提供する。【解決手段】安全弁の作動検査を行うとき、フランジ／ボルト締結手段により安全弁の流体入口端と圧力流体系の安全弁取付け端の間に締め合わされて該流体入口端を閉じると共に該流体入口端に安全弁作動検査流体を圧入するポートを形成する板状部を有する安全弁作動検査補助装置。【選択図】図２
2012041952.tif 000002
【特許請求の範囲】
【請求項１】
流体入口端を有する安全弁が前記流体入口端にて圧力流体系の安全弁取付け端と付き合わされ且つフランジ／ボルト締結手段により付き合わせ状態に締め付けられている構造の圧力流体系用過圧防止手段のための安全弁作動検査補助装置に於いて、前記流体入口端と前記安全弁取付け端の間に挿入されて前記フランジ／ボルト締結手段により前記流体入口端と前記安全弁取付け端の間に締め合わされて前記流体入口端を閉じると共に前記流体入口端に安全弁作動検査流体を圧入するポートを形成する板状部を有することを特徴とする安全弁作動検査補助装置。
【請求項２】
前記安全弁は流体出口端を有し、前記圧力流体系用過圧防止手段は前記安全弁が前記流体出口端にて流体排出管の一端と付き合わされ且つフランジ／ボルト締結手段により付き合わせ状態に締め付けられている構造を含み、前記流体出口端と前記流体排出管の一端の間に挿入されて前記流体出口端と前記流体排出管の一端とを付き合わせ状態に締め付ける前記フランジ／ボルト締結手段により前記流体出口端と前記流体排出管の一端の間に締め合わされて前記流体出口端を閉じると共に前記流体出口端より安全弁作動検査流体を流出させるポートを形成する板状部を有することを特徴とする請求項１に記載の安全弁作動検査補助装置。
【請求項３】
前記安全弁は流体出口端を有し、前記圧力流体系用過圧防止手段は前記安全弁が前記流体出口端にて流体排出管の一端と接続されている構造を含み、前記流体排出管の他端に装着されて該他端を閉じると共に該他端より安全弁作動検査流体を流出させるポートを形成する蓋体を有することを特徴とする請求項１に記載の安全弁作動検査補助装置。
【発明の詳細な説明】
【技術分野】
【０００１】
本発明は、化学プラント等のボイラーや冷凍、空調装置等の圧力流体系に係る発明であり、特に圧力流体系を過圧から保護すべく該圧力流体系に取付けられた状態にある安全弁の作動検査を補助する安全弁作動検査補助装置に係る。
【背景技術】
【０００２】
安全弁については、正常に作動することを確認する作動検査が定期的に行われなければならない。安全弁の作動検査は、安全弁の流体入口に圧力計にて圧力が読み取れる検査用圧力流体を供給し、検査用圧力流体の圧力が所定の値に達したとき安全弁が開いてその流体出口に検査用圧力流体が流出してくることを確認することにより行われるが、そのような作動検査を行うためには、安全弁は圧力流体系に取り付けられた状態から取り外されなければならなかった。
【０００３】
安全弁を圧力流体系に取り付けられた状態から取り外すことなく安全弁の作動検査を行うことができるよう、圧力流体系の安全弁取付け端であって手前に遮断弁が設けられている構造の安全弁取付け端に、作動検査用圧力流体注入ポートを備えた接続ブロックを介して安全弁を取り付けておき、常時は遮断弁が開かれ、作動検査用圧力流体注入ポートが閉じられた状態としておき、安全弁の作動検査を行うときには遮断弁を閉じ、作動検査用圧力流体注入ポートから作動検査用圧力流体を注入して安全弁の作動検査を行うことができるようにすることが、下記の特許文献１に提案されている。また下記の特許文献２には、同じく安全弁を圧力流体系に取り付けられた状態から取り外すことなく安全弁の作動検査を行うことができるよう、圧力流体系の安全弁取付け端の手前に逆止弁を設けた上で、安全弁取付け端に作動検査用圧力流体注入ポートを備えた接続ブロックを介して安全弁を取り付けておき、圧力流体系内が過圧状態となったときには、圧力流体は逆止弁を開いて安全弁に流れ、安全弁の作動検査を行うときには、作動検査用圧力流体注入ポートから作動検査用圧力流体が注入され、逆止弁が閉じた状態で安全弁の作動検査が行えるようにすることが提案されている。
【先行技術文献】
【特許文献】
【０００４】
【特許文献１】特開平１１−５１２４６
【特許文献２】特開昭６３−２５１６９９
【発明の概要】
【発明が解決しようとする課題】
【０００５】
安全弁は、多くの場合、その流体入口端にて圧力流体系の安全弁取付け端と付き合わされ且つフランジ／ボルト締結手段により付き合わせ状態に締め付けられている。本発明は、このように安全弁が流体入口端にて圧力流体系の安全弁取付け端と付き合わされ且つフランジ／ボルト締結手段により付き合わせ状態に締め付けられている場合に、かかるフランジ／ボルト締結手段による付き合わせ締め付け構造を利用し、フランジ／ボルト締結手段のボルトを一旦弛めることで、圧力流体系に取り付けられた状態から安全弁を取り外すことなく、且つ上記の特許文献１に於ける遮断弁或いは上記の特許文献２に於ける逆止弁を要することなく、安全弁の作動検査を行うことを可能にする安全弁作動検査補助装置を提供することを課題としている。
【課題を解決するための手段】
【０００６】
上記の課題を解決するものとして、本発明は、流体入口端を有する安全弁が前記流体入口端にて圧力流体系の安全弁取付け端と付き合わされ且つフランジ／ボルト締結手段により付き合わせ状態に締め付けられている構造の圧力流体系用過圧防止手段のための安全弁作動検査補助装置に於いて、前記流体入口端と前記安全弁取付け端の間に挿入されて前記フランジ／ボルト締結手段により前記流体入口端と前記安全弁取付け端の間に締め合わされて前記流体入口端を閉じると共に前記流体入口端に安全弁作動検査流体を圧入するポートを形成する板状部を有することを特徴とする安全弁作動検査補助装置を提案するものである。
【０００７】
安全弁が更に流体出口端を有し、圧力流体系用過圧防止手段は安全弁がその流体出口端にて流体排出管の一端と付き合わされ且つフランジ／ボルト締結手段により付き合わせ状態に締め付けられている構造を含む場合には、安全弁作動検査補助装置は、安全弁の流体入口端と圧力流体系の安全弁取付け端の間に挿入されてフランジ／ボルト締結手段により安全弁の流体入口端と安全弁取付け端の間に締め合わされて流体入口端を閉じると共に該流体入口端に安全弁作動検査流体を圧入するポートを形成する前記の板状部に加えて、更に、安全弁の前記流体出口端と前記流体排出管の一端の間に挿入されて該流体出口端と該流体排出管の一端とを付き合わせ状態に締め付けるフランジ／ボルト締結手段により該安全弁の流体出口端と該流体排出管の一端の間に締め合わされて該安全弁の流体出口端を閉じると共に該流体出口端より安全弁作動検査流体を流出させるポートを形成する板状部を有していてよい。
【０００８】
或いはまた、安全弁が更に流体出口端を有し、圧力流体系用過圧防止手段は、安全弁がその流体出口端にて流体排出管の一端と接続されている構造である場合には、安全弁作動検査補助装置は、安全弁の流体入口端と圧力流体系の安全弁取付け端の間に挿入されてフランジ／ボルト締結手段により安全弁の流体入口端と安全弁取付け端の間に締め合わされて流体入口端を閉じると共に該流体入口端に安全弁作動検査流体を圧入するポートを形成する前記の板状部に加えて、更に、該流体排出管の他端に装着されて該他端を閉じると共に該他端より安全弁作動検査流体を流出させるポートを形成する蓋体を有していてよい。
【発明の効果】
【０００９】
上記の如く圧力流体系の過圧防止手段が、流体入口端を有する安全弁がその流体入口端にて圧力流体系の安全弁取付け端と付き合わされ且つフランジ／ボルト締結手段により付き合わせ状態に締め付けられている構造を含む場合に、前記流体入口端と前記安全弁取付け端の間に挿入されて前記フランジ／ボルト締結手段により前記流体入口端と前記安全弁取付け端の間に締め合わされて前記流体入口端を閉じると共に前記流体入口端に安全弁作動検査流体を圧入するポートを形成する板状部を有する安全弁作動検査補助装置があれば、安全弁の作動検査を行うべき時には、前記フランジ／ボルト締結手段のボルトの締め付け状態を一旦弛め、安全弁の流体入口端と圧力流体系の安全弁取付け端の間の突き合わせ状態を解除してその間に隙間を作り、ここに上記の安全弁作動検査補助装置の板状部を挿入し、前記フランジ／ボルト締結手段により該板状部を安全弁の流体入口端と圧力流体系の安全弁取付け端の間に締め合わせることにより、安全弁を圧力流体系より取り外すことなく、安全弁の流体入口端に作動検査用の圧力流体を注入して安全弁の作動検査を行うことができる状態が得られる。
【００１０】
更に、安全弁が流体出口端を有し、圧力流体系用過圧防止手段は安全弁がその流体出口端にて流体排出管の一端と付き合わされ且つフランジ／ボルト締結手段により付き合わせ状態に締め付けられている構造を含んでいる場合に、安全弁作動検査補助装置が、安全弁の流体入口端と圧力流体系の安全弁取付け端の間に挿入されてフランジ／ボルト締結手段により安全弁の流体入口端と安全弁取付け端の間に締め合わされて該流体入口端を閉じると共に該流体入口端に安全弁作動検査流体を圧入するポートを形成する前記の板状部に加えて、安全弁の流体出口端と流体排出管の一端の間に挿入されて該流体出口端と該流体排出管の一端とを付き合わせ状態に締め付けるフランジ／ボルト締結手段により該流体出口端と該流体排出管の一端の間に締め合わされて該流体出口端を閉じると共に該流体出口端より安全弁作動検査流体を流出させるポートを形成する板状部を有していれば、安全弁の作動検査を行うべき時、前記安全弁の流体出口端と前記流体排出管の一端とを締め付けるフランジ／ボルト締結手段のボルトの締め付け状態を一旦弛め、該安全弁の流体出口端と該流体排出管の一端の間の突き合わせ状態を解除してその間に隙間を作り、ここに上記の板状部を挿入し、フランジ／ボルト締結手段により該板状部を安全弁の流体出口端と流体排出管の一端の間に締め合わせることにより、安全弁がその流体出口端にて流体排出管の一端と付き合わされ且つフランジ／ボルト締結手段により付き合わせ状態に締め付けられている圧力流体系用過圧防止手段の構造を大きく崩すことなく、安全弁の流体出口端を閉じると共に該流体出口端より安全弁作動検査流体を流出させるポートを形成することができ、かかる検査流体流出ポートに任意の管の一端を接続し、その他端を水中に沈めておくこと等により、安全弁が開いたことを容易に検知することができる。
【００１１】
或いはまた、安全弁が流体出口端を有し、圧力流体系用過圧防止手段は安全弁がその流体出口端にて流体排出管の一端と接続されている構造を含んでいる場合に、安全弁作動検査補助装置が、上記の安全弁の流体入口端と圧力流体系の安全弁取付け端の間に挿入されてフランジ／ボルト締結手段により安全弁の流体入口端と安全弁取付け端の間に締め合わされて流体入口端を閉じると共に該流体入口端に安全弁作動検査流体を圧入するポートを形成する前記の板状部に加えて、流体排出管の他端に装着されて該他端を閉じると共に該他端より安全弁作動検査流体を流出させるポートを形成する蓋体を有していれば、安全弁の作動検査を行うべき時、流体排出管の他端に前記蓋体を取り付けることにより、安全弁がその流体出口端にて流体排出管の一端と接続されている構造を崩すことなく、流体排出管の他端を閉じると共に該流体排出管の他端より安全弁作動検査流体を流出させるポートを形成することができ、かかる検査流体流出ポートに管の一端を接続し、その他端を水中に沈めておくこと等により、安全弁が開いたことを確実に検知することができる。
【図面の簡単な説明】
【００１２】
【図１】図Ａは、本発明による安全弁作動検査補助装置の適用対象となる圧力流体系用過圧防止手段を一つの実施の形態について示す一部断面による側面図であり、図Ｂは、図Ａに示す圧力流体系用過圧防止手段より、安全弁の作動検査に当たって、安全弁が従来技術に従って取り外される要領示す一部断面による側面図である。
【図２】図１に示す圧力流体系用過圧防止手段に、安全弁の作動検査に当たって、本発明による安全弁作動検査補助装置が適用された状態を一つの実施の形態について示す一部断面による側面図である。
【図３】図２に示す如く安全弁の流体入口端と圧力流体系の安全弁取付け端の間に挿入され、フランジ／ボルト締結手段によりその間に締め合わされて安全弁の流体入口端を閉じると共に安全弁の流体入口端に安全弁作動検査流体を圧入するポートを形成する板状部を有する本発明による安全弁作動検査補助装置を一つの実施の形態について示す図であり、図Ａは断面図、図Ｂは平面図である。
【図４】図１に示す圧力流体系用過圧防止手段に、安全弁の作動検査に当たって、本発明による安全弁作動検査補助装置が適用された状態を他の一つの実施の形態について示す一部断面による側面図である。
【発明を実施するための形態】
【００１３】
本発明による安全弁作動検査補助装置の適用対象となる圧力流体系用過圧防止手段を一つの実施の形態について示す図１の図Ａに於いて、１０は安全弁であり、安全弁１０は、その流体入口端１２にて圧力流体系１４の安全弁取付け端１６と付き合わされ且つフランジ１８、２０とそれらの周辺部に開けられた孔２２，２４に通された複数のボルト２６およびナット２８とからなるフランジ／ボルト締結手段により付き合わせ状態に締め付けられている。図示の実施の形態では、安全弁１０の流体入口端１２および圧力流体系１４の安全弁取付け端１６には、それぞれ環状のリブ部３０および３２が形成されており、フランジ１８、２０はそれぞれこれらのリブ部３０、３２に係合する環状の部材として作られている。
【００１４】
更に、図示の圧力流体系用過圧防止手段に於いては、安全弁１０は流体出口端３４を有し、安全弁１０はその流体出口端３４にて流体排出管３６の一端３８と付き合わされ且つフランジ４０、４２とそれらの周辺部に開けられた孔４４，４６に通された複数のボルト４８およびナット５０とからなるフランジ／ボルト締結手段により付き合わせ状態に締め付けられている。安全弁１０の流体出口端３４および流体排出管３６の一端３８にも、上記の環状のリブ部３０および３２と同様の環状のリブ部が形成されており、フランジ４０、４２もまた、それぞれこれらのリブ部に係合する環状の部材として作られている。
【００１５】
図１の図Ａに示す如くフランジ／ボルト締結手段により圧力流体系１４に組み付けられた安全弁１０の作動検査を行うには、従来、図１の図Ｂに示す如くボルト２６および４８よりそれぞれナット２８および５０を完全に取り外し、フランジ１８と２０の間の締結およびフランジ４０と４２の間の締結を完全に解除して、安全弁１０を圧力流体系１４より取り外すことが行われていた。
【００１６】
これに対し、本発明による安全弁作動検査補助装置を用いて図１の図Ａに示す圧力流体系用過圧防止手段の安全弁１０の作動検査を行うには、図１の図Ａに示す状態から、先ずナット２８および５０をそれぞれボルト２６および４８より外れない限度内で一杯に弛める。次いで、安全弁１０を僅かに持ち上げて安全弁１０の流体入口端１２と圧力流体系１４の安全弁取付け端１６の間および安全弁１０の流体出口端３４と流体排出管３６の一端３８の間を開き、図２に示す如く安全弁１０の流体入口端１２と圧力流体系１４の安全弁取付け端１６の間に安全弁作動検査補助装置５２の板状部５４を挿入し、また安全弁１０の流体出口端３４と流体排出管３６の一端３８の間に安全弁作動検査補助装置５６の板状部５８を挿入し、安全弁１０の流体入口端１２と圧力流体系１４の安全弁取付け端１６とをその間に安全弁作動検査補助装置５２の板状部５４を挟んで整合させ、ナット２８をボルト２６に対し締め付け、また安全弁１０の流体出口端３４と流体排出管３６の一端３８とをその間に安全弁作動検査補助装置５６の板状部５８を挟んで整合させ、ナット５０をボルト４８に対し締め付ける。
【００１７】
安全弁作動検査補助装置５２は、図３に一つの実施の形態として示されている如き構造を有する。図示の如く、安全弁作動検査補助装置５２は安全弁１０の流体入口端１２と圧力流体系１４の安全弁取付け端１６の外輪郭に整合した外輪郭の円盤状の板状部５４とこれに連なる腕部６０とを備えている。板状部５４は、圧力流体系１４の安全弁取付け端１６に対しては、これに当接して安全弁取付け端１６の開口を閉じるが、安全弁１０の流体入口端１２に対しては、その環状輪郭に整合した環状座６２にて当接することにより、安全弁１０の流体入口端１２に対し開いた室空間６４を呈しており、腕部６０を貫通して延在する通路６６と通じ、外部より安全弁１０の流体入口端１２に安全弁作動検査用の圧力流体を供給することのできるポートを形成するようになっている。腕部６０の外端には、通路６６を外部の圧力流体源に接続する管継手６８が設けられている。
【００１８】
安全弁作動検査補助装置５６も安全弁作動検査補助装置５２と同様の構造のものであってよく、ただ安全弁作動検査補助装置５６に於ける安全弁１０の流体出口端３４と流体排出管３６の一端３８の外輪郭に整合した外輪郭の円盤状の板状部５８は、流体排出管３６の一端３８に対しては、これに当接して流体排出管３６の一端３８の開口を閉じるが、安全弁１０の流体出口端３４に対しては、その環状輪郭に整合した環状座にて当接することにより、安全弁１０の流体出口端３４に対し開いた室空間を呈し、腕部６０と同様の腕部を貫通して延在する通路と通じ、安全弁１０の流体出口端３４より安全弁作動検査用流体を流出させることのできるポートを形成するようになっている。
【００１９】
図２に戻ってみると、安全弁作動検査補助装置５２の管継手６８には、圧力流体源７０より調圧弁７２にて調圧された安全弁作動検査用圧力流体を供給する圧力計７４を備えた管７６が接続されるようになっている。また安全弁作動検査補助装置５６には管７８の一端が接続され、その他端は水槽８０内に張られた水中に浸されており、安全弁１０が開いたときには管７８の他端から泡が出ることによりそれが検知されるようになっている。
【００２０】
図４に示す本発明の安全弁作動検査補助装置の適用例は、上に図２および３を参照して説明した安全弁作動検査補助装置の適用例に比して、安全弁１０の流体出口端３４と流体排出管３６の一端３８との間に安全弁作動検査補助装置５６を組み込むことに代えて、流体排出管３６の他端に該他端を閉じると共に該他端より安全弁作動検査流体を流出させるポートを形成する蓋体８２が装着され、水槽８０によって安全弁１０が開いたことを検出する管７８の一端が蓋体８２に設けられてその内側に通じる管継手８４に接続されている点に於いて異なっている。
【００２１】
以上に於いては本発明をいくつかの実施の形態ついて詳細に説明したが、これらの実施の形態ついて本発明の範囲内にて種々の修正が可能であることは当業者にとって明らかであろう。
【符号の説明】
【００２２】
１０…安全弁、１２…安全弁の流体入口端、１４…圧力流体系、１６…圧力流体系の安全弁取付け端、１８，２０…フランジ、２２，２４…孔、２６…ボルト、２８…ナット、３０，３２…環状のリブ部、３４…安全弁の流体出口端、３６…流体排出管、３８…流体排出管の一端、４０，４２…フランジ、４４，４６…孔、４８…ボルト、５０…ナット、５２…安全弁作動検査補助装置、５４…板状部、５６…安全弁作動検査補助装置、５８…板状部、６０…腕部、６２…環状座、６４…室空間、６６…通路、６８…管継手、７０…圧力流体源、７２…調圧弁、７４…圧力計、７６，７８…管、８０…水槽、８２…蓋体、８４…管継手
【図１】
2012041952.tif 000003
【図２】
2012041952.tif 000004
【図３】
2012041952.tif 000005
【図４】
2012041952.tif 000006